(57)【特許請求の範囲】
【請求項１】
分割輸送型変圧器を構成する変圧器構成部品であるとともに絶縁紙からなる絶縁物を備えてなる巻線に絶縁油のミストを噴霧することによって前記絶縁物の表面層にだけ絶縁油を含浸させた状態で輸送することを特徴とする分割輸送型変圧器の輸送方法。
【発明の詳細な説明】
【０００１】
【発明の属する技術分野】
この発明は、変圧器を輸送可能な大きさに分割して据え付け現地へ輸送する場合に巻線などの変圧器構成部品が輸送中に外気でもって吸湿しないようにするための分割輸送型変圧器の輸送方法に関し、特に、予め輸送処置を短時間でもって実施することができる分割輸送型変圧器の輸送方法に関する。
【０００２】
【従来の技術】
変圧器容器の内部に鉄心や巻線が収納され絶縁油が封入される変圧器は高電圧大容量になるにつれてその重量や幅寸法が増大し、完全に組み立てられた状態では据え付け現地への輸送制限を越えてしまう場合がある。輸送制限とは、例えば、自動車の積載許容寸法や橋の許容荷重などである。従来から、この輸送制限があるために変圧器を輸送制限以内の単位に分割して輸送することが行われている。例えば、予め変圧器容器や鉄心などを分割可能に製作しておくとともに巻線も各相毎に分割可能にしておき、製作工場で一旦全体が組み立てられるとともに絶縁油を変圧器容器内に封入して完成試験が行われる。この完成試験の後、変圧器容器内の絶縁油が一旦抜かれ、変圧器の構成部品が輸送制限以内の単位に分割される。分割された構成部品は、それぞれトレーラやトラックなどで据え付け現地まで輸送される。据え付け現地において、各構成部品が再び組み立てられるとともに変圧器容器内が真空引きされ絶縁油が封入される。その際に、巻線は絶縁などの絶縁物を介して構成されているので、それらが輸送中に外気でもって吸湿しないようにする必要がある。すなわち、変圧器の巻線は、予め防湿輸送処置が施される。据え付け現地において、その防湿輸送処置が解かれた後、変圧器容器内に収納され、現地乾燥と絶縁油の含浸がなされる。この現地乾燥は、据え付け現地における組み立てのために巻線が一旦外気に晒されるので実施されるものであり、高温の絶縁油を変圧器容器へ循環させることによって変圧器の中身が加熱乾燥される。以下に、従来実施されていた変圧器巻線の輸送時の防湿輸送方法を説明する。
【０００３】
図２は、従来の分割輸送型変圧器の輸送方法を示す片側断面図であり、左端に図示されていない回転対称軸がある。上下に配された支持板４，３と、内径側、外径側にそれぞれ配された絶縁筒２とが巻線１と一緒に絶縁フイルム５，６でもって覆われている。内側と外側が通気性のない絶縁フイルム５でもって覆われるとともに、上下が通気性のない絶縁フイルム６でもって覆われている。絶縁フイルム５，６同士の接続個所７はそれぞれ局部加熱によって熱融着され外部から湿気が入らないようになっている。分割輸送型変圧器の巻線１は、図２のような状態で据え付け現地へ輸送される。この輸送方法は特開平９−５０９１９号公報で公開され、絶縁フイルム５，６としては、例えば、熱融着性のあるポリエチレンフイルムなどが用いられている。分解輸送型変圧器は一旦、製作工場で組み立てられた後に乾燥・油含浸され完成された状態でもって必要な性能試験が行われる。その後、輸送可能な大きさの構成部品にそれぞれ分割され据え付け現地へ輸送される。絶縁フイルム５，６に通気性がないので、巻線１が吸湿したり、巻線１に塵埃が付着したりするのを防止することができる。据え付け現地において、絶縁フイルム５，６が解かれ、巻線１が支持板３，４や絶縁筒２とともに分解輸送型変圧器として組み立てられる。
【０００４】
なお、分解輸送型変圧器の輸送方法において防湿輸送処置が必要なものは上述の巻線だけではなく、絶縁物を有する他の変圧器構成部品，例えば，絶縁被覆されたリードなどに対しても、その絶縁物が輸送中に外気でもって吸湿しないように防湿輸送処置を施すことが必要である。
【０００５】
【発明が解決しようとする課題】
しかしながら、前述したような従来の変圧器の輸送方法は、巻線など変圧器構成部品の防湿輸送処置における絶縁フイルム同士の熱融着に時間がかかるという問題があった。
すなわち、例えば、変圧器構成部品である巻線に防湿輸送処置を施す場合、図２のように巻線１の上下４個所で熱融着する必要があり、しかも、その熱融着作業は一周に亘って実施する必要がある。巻線１を密封するためには絶縁フイルム同士の接続個所を全て熱融着することが必要であり時間が非常にかかっていた。この発明の目的は、分解輸送型変圧器の巻線などの変圧器構成部品の防湿輸送処置を従来より短時間で実施することのできる方法を提供することにある。
【００１２】
【課題を解決するための手段】
上記目的を達成するために、この発明によれば、分割輸送型変圧器を構成する変圧器構成部品であるとともに絶縁紙からなる絶縁物を備えてなる巻線に絶縁油のミストを噴霧することによって前記絶縁物の表面層にだけ絶縁油を含浸させた状態で輸送するようにするとよい。分割輸送型変圧器を構成する変圧器構成部品の絶縁物の表面層にだけ絶縁油を含浸させた状態で輸送するようにしたことによって、巻線などの変圧器構成部品の絶縁物の表面層の絶縁油が吸湿し難いので、変圧器構成部品の絶縁物への吸湿を防止することができる。従来、製作工場で一旦変圧器の全体を組み立てるとともに絶縁油を変圧器容器内に封入して完成試験を行った後、変圧器容器から絶縁油を抜くとともに加熱乾燥を行って巻線などの変圧器構成部品に含浸していた絶縁油を除去し、この変圧器構成部品を密封状態にして輸送するようにしていたが、前記工程の内、製作工場での完成試験の後、変圧器容器から絶縁油を抜くとともに加熱乾燥を行って変圧器構成部品に含浸していた絶縁油を一旦除去した後、変圧器構成部品の表面層にだけ絶縁油を含浸させておけば変圧器構成部品の絶縁物の内部の吸湿を防止することができる。したがって、変圧器構成部品の輸送処置は加熱乾燥によって油抜きが行われた後、変圧器構成部品の表面層にだけ絶縁油を含浸させ変圧器構成部品を防塵カバーで包むだけでよい。従来のような，絶縁フイルム同士を熱融着する作業が必要ないので、変圧器構成部品の防湿輸送処置を短時間で実施することができる。なお、この構成では、変圧器構成部品の表面層に絶縁油が含浸された状態で変圧器構成部品が輸送されることになり、輸送中、変圧器構成部品の絶縁物の内部だけでなく表面層も吸湿することがなく、据付け現地での最終的な乾燥処理をより簡単でかつ短時間で済むものとすることができる。
【００１３】
また、前記変圧器構成部品に絶縁油のミストを噴霧することによって前記変圧器構成部品の絶縁物の表面層に絶縁油を含浸させるようにしたことにより、巻線などの変圧器構成部品の絶縁物の表面層に絶縁油を短時間で含浸させることができる。また、ミスト噴霧の場合、変圧器構成部品の絶縁物の表面層に絶縁油を少量ずつ徐々に含浸させていくことが可能であり、絶縁油が変圧器構成部品の絶縁物の表面から下部へ垂れることがないため、絶縁油が変圧器構成部品の絶縁物の表面から垂れなくなるまで放置しておく時間が必要なくなるとともに、含浸のために使用する絶縁油の量も少なくて済む。
【００１５】
また、前記変圧器構成部品が巻線であるようにしたことによって、巻線は絶縁紙などの絶縁物を介して構成されているものであるため防湿輸送処置が必ず必要であるが、絶縁油の含浸による防湿輸送処置を採用することにより、従来の輸送方法におけるような巻線の防湿輸送処置のために絶縁フイルム同士を熱融着する作業が必要なくなるので、巻線の防湿輸送処置を従来より短時間で実施することができる。
【００１６】
【発明の実施の形態】
以下、この発明を実施例および参考例に基づいて説明する。図１は、この発明の実施例および参考例にかかる分割輸送型変圧器の輸送方法を示す片側断面図である。油含浸された巻線１と支持板３，４と絶縁筒２とがいずれも油含浸された状態のまま防塵カバー８にくるまれている。図１のその他は、図２の従来の構成と同じであり、従来と同じ部分は同一参照符号を付けることによって詳細な説明は省略する。
【００１７】
図１において、絶縁油は水分を吸収し難い性質を有しているので、油含浸された巻線１は非常に吸湿し難くなっている。すなわち、巻線１を構成する絶縁紙などの絶縁物に水分を吸収し難い性質を有する絶縁油を含浸させることにより、絶縁紙などの絶縁物の内部への吸湿が抑制されている。絶縁紙の吸湿速度は絶縁紙のセルロース繊維層内の空隙の量に依存するが、繊維層内の空隙を絶縁油で充填することで、気体の浸透抵抗が増大して、吸湿速度が減少し、絶縁紙内部への吸湿が抑制される。そのために、巻線１は塵埃が入らないように防塵カバー８でもって覆うだけでよい。巻線１は、製作工場での完成試験のために変圧器に組み込まれた状態で一旦油含浸されるので、その完成試験後、変圧器容器内の油を抜くだけにして加熱乾燥による巻線の油抜きを行わないようにすれば油含浸された巻線１とすることができる。そのために、巻線１の輸送処置は変圧器容器内の各巻線１を分解して防塵カバー８で包むだけでよい。したがって、従来のような絶縁フイルム同士の熱融着の作業が必要ないので、巻線１の防湿輸送処置を従来より短時間で実施することができ、変圧器の輸送コストが低減する。
【００１８】
その場合、少なくとも巻線１の絶縁物の表面に液滴状に付着している絶縁油だけは予め除去しておいた方がよい。それによって、巻線１の輸送中に絶縁油が下部へ垂れなくなるので輸送し易くなる。巻線１の絶縁物の表面に液滴状に付着している絶縁油を除去する参考例として、巻線１に振動を与えることによって油切りを行う方法がある。あるいは、異なる参考例として、巻線１を加熱することによって巻線１の絶縁物の表面に付着している絶縁油を飛散させる方法もある。巻線１の絶縁物の表面に液滴状に付着している絶縁油を除去する方法としては、これらの参考例だけには限られないが、少なくとも巻線１の絶縁物の表面に液滴状に付着している絶縁油は除去しておいた方が防塵カバー８内に絶縁油が垂れて溜まったり、巻線１を防塵カバー８から出し入れする際に絶縁油がこぼれたりしなくなり変圧器の組み立て分解作業が楽になる。
【００１９】
なお、上述の巻線１を加熱することによって巻線１の絶縁物の表面に付着している絶縁油を飛散させる方法の場合は、巻線１の絶縁物の表面に液滴状に付着している絶縁油だけでなく、巻線１の絶縁物の表面層に浸み込んでいる絶縁油も除去されるため、巻線１の絶縁物の表面層に浸み込んでいた絶縁油が除去された状態で輸送されるので、輸送中に巻線１の絶縁物の表面層は吸湿することになるが、巻線１の絶縁物の表面層よりも内部は油含浸されているので、内部まで吸湿が進行することはない。このように、輸送中においても、巻線１の絶縁物の表面層までで吸湿が防止されているので、据付け現地での最終的な乾燥処理により巻線１から簡単に水分を除去することができる。
【００２０】
また、上述の巻線１を加熱することによって巻線１の絶縁物の表面に付着している絶縁油を飛散させる方法の場合は、従来行われていた製作工場での完成試験後の巻線１からに油抜きのための加熱乾燥処理と、加熱を行う点では同様であるが、その加熱温度，加熱時間等の条件を調整して、巻線１の絶縁物の表面層よりも内側に含浸している絶縁油は除去されないようにする。
【００２１】
また、巻線１を加熱することなどにより巻線１の絶縁物の表面に液滴状に付着している絶縁油および巻線１の絶縁物の表面層に浸み込んでいる絶縁油を除去した後、絶縁油のミストを巻線１に噴霧してもよい。それによって、巻線１の絶縁物の表面層の絶縁油が抜けた部分に噴霧された絶縁油が浸み込むので、巻線の絶縁物の表面層部分の吸湿を防止することができる。したがって、巻線１の輸送中、巻線１の絶縁物の内部だけでなく表面層も吸湿することがなく、据付け現地での最終的な乾燥処理をより簡単でかつ短時間で済むものとすることができる。また、上記のようなミスト噴霧の場合、巻線１の絶縁物の表面層に絶縁油を少量ずつ徐々に含浸させていくことが可能であり、絶縁油が巻線１の絶縁物の表面から下部へ垂れることがないため、絶縁油が巻線１の絶縁物の表面から垂れなくなるまで放置しておく時間は必要なくなるとともに、含浸のために使用する絶縁油の量も少なくで済み、変圧器の輸送コストをさらに低減することができる。
【００２２】
上記までは、巻線１の絶縁物の内部まで絶縁油を含浸させる方法の参考例を説明した。別の方法として、巻線１を乾燥して油抜きを実施し、その巻線１の絶縁物の表面層にだけ絶縁油を含浸させた状態で輸送する方法もある。その方法によっても、巻線１の絶縁物の表面層の絶縁油が吸湿し難いことにより巻線１の絶縁物の内部への吸湿を防止することができる。すなわち、従来は前述のように、巻線１は、製作工場での完成試験の後、加熱乾燥によって油抜きが行われるとともに密封状態にして輸送されていたが、前記工程の内、従来と同様に、加熱乾燥による巻線１の油抜きを行った後、巻線１の絶縁物の表面層にだけ絶縁油を含浸させておけば巻線１全体の吸湿を防止することができる。したがって、巻線１の輸送処置は加熱乾燥によって油抜きが行われた後、巻線１の絶縁物の表面層にだけ絶縁油を含浸させるとともに巻線１を防塵カバー８で包むだけでよい。従来のような絶縁フイルム同士の熱融着の作業が必要ないので、巻線１の輸送処置を短時間で実施することができ、変圧器の輸送コストが低減する。また、巻線１の絶縁物の表面層に絶縁油が含浸された状態で巻線１が輸送されるので、輸送中、巻線１の絶縁物の内部だけでなく表面層も吸湿することがなく、据付け現地での最終的な乾燥処理をより簡単でかつ短時間で済むものとすることができる。巻線１の絶縁物の表面層にだけ絶縁油を含浸させる実施例として、巻線１に絶縁油のミストを噴霧することによって巻線１の絶縁物の表面層に絶縁油を含浸させる方法がある。あるいは、参考例として、巻線１に絶縁油を振りかけることによって巻線１の絶縁物の表面層に絶縁油を含浸させる方法もある。さらに、異なる参考例として巻線１を絶縁油中に浸漬させることによって巻線１の絶縁物の表面層に絶縁油を含浸させる方法もある。巻線１の絶縁物の表面層にだけ絶縁油を含浸させる方法としては、これらの実施例および参考例だけには限られないが、それによって、巻線１の絶縁物の表面層に絶縁油を短時間で含浸させることができる。なお、巻線１の絶縁物の表面層にだけ絶縁油を含浸させる方法として記載した上記の、巻線１に絶縁油を振りかける方法、および、巻線１を絶縁油中に浸漬させる方法の場合には、巻線１の絶縁物の表面層は大量の絶縁油を吸収しきれず絶縁油が巻線１の絶縁物の表面から下部に垂れるため、絶縁油が垂れなくなるまでしばらく放置しておく必要があるが、ミスト噴霧，すなわち，巻線１に絶縁油のミストを噴霧することによって巻線１の絶縁物の表面層に絶縁油を含浸させる方法の場合には、巻線１の絶縁物の表面層に絶縁油を少量ずつ徐々に含浸させていくことが可能であり、絶縁油が巻線１の絶縁物から下部に垂れることがないため、絶縁油が巻線１の絶縁物の表面から垂れなくなるまで放置しておく時間が必要なくなり、この含浸工程をより短時間とすることができるとともに、含浸のために使用する絶縁油の量も少なくて済み、変圧器の輸送コストをさらに低減することができる。
【００２３】
図３は、絶縁油のミストの噴霧によって形成された油含浸層の防湿効果の一例を示す特性線図である。０．１５ｍｍ厚さの供試紙を円柱の木片の外周に複数枚重ねて巻いて７ｍｍ厚さにするとともに軸方向の両端面に糊を塗布して端面からの水分の浸入を防ぐようにし、予め乾燥処理された後にその供試紙の外周側の層から絶縁油をミスト状にして噴霧した。供試紙を湿度５０％，２５℃の雰囲気に晒した後、９６時間経った後に各層（１枚の紙を１層とする）の供試紙の吸湿量が調べられた。横軸に一方の面（絶縁油のミストを噴霧した面）からの層数が目盛られ、縦軸に吸湿量（重量％）が目盛られている。▽印のプロットが絶縁油のミストを供試紙の１層目まで浸ませた場合の吸湿量であり特性線１０のようになる。×印のプロットが絶縁油のミストを供試紙の３層目まで浸ませた場合の吸湿量であり特性線１１のようになる。なお、比較のために、絶縁油のミストを一切噴霧していない場合の供試紙の吸湿量は●印のプロットのようになり特性線１２となった。また、内部まで完全に油含浸された供試紙の吸湿量は□印のプロットのようになり特性線１３となった。さらに、乾燥直後の供試紙の吸湿量は、いずれの供試紙についても○印のプロットのようになり特性線１４となった。
【００２４】
図３より、乾燥された供試紙の初期の吸湿量は特性線１４のように１％以下であるが、絶縁油のミストが噴霧されていないと特性線１２のように供試紙が数％も吸湿し全く防湿効果が見られない。絶縁油を供試紙の１層目まで浸ませた状態では特性線１０のようにまだ吸湿量は多いが、絶縁油を供試紙の３層目まで浸ませれば防湿効果が発生する。すなわち、特性線１１が完全に油含浸された供試紙の特性線１３とほぼ同じになるとともに、供試紙の８層目、すなわち、表面から１．２ｍｍ（＝０．１５ｍｍ×８枚）より奥の層は殆ど吸湿しないということが分かる。したがって、絶縁油のミストは、最低３層目まで噴霧しておけばよいと言える。
【００２５】
なお、上述の実験に用いた絶縁油のミストの粒径は４０〜５０μｍ程度であるが、本発明の構成においては、巻線などの変圧器構成部品の絶縁物の表面層に絶縁油が含浸すればよく、上記の粒径に限定されるものではない。
また、上述の実施例および参考例は、いずれも、分割輸送型変圧器の防湿輸送処置として巻線に絶縁油を含浸させる構成であったが、本発明は、上記のような、絶縁油を含浸させる対象が巻線である構成に限定されるものではなく、例えば絶縁被覆を有するリードなど，絶縁物を有する巻線以外の変圧器構成部品に絶縁油を含浸させる構成とすることもできる。なお、巻線以外の例えばリードなどの構造の簡単な変圧器構成部品の場合には、巻線の場合とは異なり油切れは良いため、絶縁物の表面層に絶縁油を含浸させる方法として上述したような絶縁油のミストを噴霧する方法を用いなくても、絶縁油が絶縁物から垂れなくなるまで放置しておく時間が長くかかるようなことはない。
【００３０】
【発明の効果】
この発明は前述のように、変圧器構成部品に絶縁油のミストを噴霧することにより変圧器構成部品の絶縁物の表面層にだけ絶縁油を含浸させた状態で輸送するようにしたことによって、巻線などの変圧器構成部品の絶縁物の表面層の絶縁油が吸湿し難いことから、変圧器構成部品の輸送処置は加熱乾燥によって油抜きが行われた後、変圧器構成部品の表面層にだけ絶縁油を含浸させ変圧器構成部品を防塵カバーで包むだけでよくなり、変圧器構成部品の防湿輸送処置を従来より短時間で実施することができ、変圧器の輸送コストが低減する。また、変圧器構成部品の表面層に絶縁油が含浸された状態で変圧器構成部品が輸送されることになり、輸送中、変圧器構成部品の絶縁物内部だけでなく表面層も吸湿することがなく、据付け現地での最終的な乾燥処理をより簡単でかつ短時間で済むものとすることができる。なお、上述の変圧器構成部品の絶縁物の表面層にだけ絶縁油を含浸するための方法として、特に、変圧器構成部品に絶縁油のミストを噴霧する方法を用いることにより、変圧器構成部品の絶縁物の表面層に絶縁油を少量ずつ徐々に含浸させていくことができ、絶縁油が変圧器構成部品の絶縁物の表面から下部へ垂れることがないため、絶縁油が変圧器構成部品の絶縁物の表面から下部へ垂れなくなるまで放置しておく時間が必要なくなるとともに、含浸のために使用する絶縁油の量も少なくて済み、変圧器の輸送コストがさらに低減する。
【００３１】
また、変圧器構成部品が巻線であるようにしたことによって、巻線の防湿輸送処置を従来より短時間で実施することができ、変圧器の輸送コストが低減する。
【図面の簡単な説明】
【図１】  この発明の実施例および参考例にかかる分割輸送型変圧器の輸送方法を示す片側断面図
【図２】従来の分割輸送型変圧器の輸送方法を示す片側断面図
【図３】絶縁油のミストの噴霧によって形成された油含浸層の防湿効果の一例を示す特性線図
【符号の説明】
１：巻線、３，４：支持板、２：絶縁筒、７：絶縁フイルム、８：防塵カバー
【図１】
0003666362.tif 000002
【図２】
0003666362.tif 000003
【図３】
0003666362.tif 000004